(57)【特許請求の範囲】
【請求項１】
回路基板（１０）と、
前記回路基板を収容空間（２２）に収容し、前記収容空間と外部空間（２００）とを連通する連通孔（３２）が形成された筐体（２０）と、
前記筐体に配置され、前記外部空間の液体（２１０）が前記連通孔を通って前記収容空間に入るのを抑制するとともに、前記連通孔を介する前記収容空間と前記外部空間との通気を可能にする通気部材（４０）と、
を備え、
前記通気部材は、
防水性及び通気性を有するフィルタ（４２）と、
前記筐体に配置され、前記フィルタが配置されるとともに前記フィルタを覆うフィルタケース（４４）と、
を有し、
前記フィルタケースは、前記フィルタに対して前記収容空間と反対側に内部空間（５２）を形成し、且つ、前記外部空間の空気を前記内部空間へ導入するための隙間（５４）を形成する電子装置であって、
前記フィルタケースは、前記内部空間を規定するとともに前記内部空間の容量を変化させる容量調整部（４８，５０，５８，６４，６６，６８，７２）を有し、
前記隙間から前記内部空間に前記液体が入り、且つ、凝固により前記液体が固体（２１２）になるとともに体積が増加し、前記固体の所定方向の幅が、前記液体が凝固する前の状態における前記内部空間の前記所定方向の距離に達して、更に大きくなろうとした場合、前記容量調整部は、前記液体が凝固する前よりも前記内部空間の容量を大きくする電子装置。
【請求項２】
前記フィルタケースは、前記容量調整部として、前記筐体に固定された固定部と、前記固定部に対して変位可能に固定された可動部と、を有し、
前記内部空間に前記液体が入るとともに前記液体が凝固した場合、前記可動部は、前記固体の体積増加によって前記固体から応力が作用することで前記固定部に対して動き、前記内部空間の容量を大きくする請求項１に記載の電子装置。
【請求項３】
前記固定部には、前記フィルタが配置され、
前記可動部は、前記固定部と別の部材を用いて構成され、前記フィルタを覆っている請求項２に記載の電子装置。
【請求項４】
前記フィルタケースは、前記容量調整部として、前記内部空間を規定する壁面から凹んだ凹部（５６，７０）が形成された基部と、前記凹部を閉塞するとともに前記基部に固定され、前記凹部の深さ方向へ変位可能な弾性部材と、を有し、
前記弾性部材は、
前記内部空間に前記液体が入るとともに前記液体が凝固した場合、前記固体の体積増加に応じて前記固体から応力が作用することで前記内部空間と反対側へ動き、前記内部空間の容量を大きくし、
前記内部空間の前記固体が融解した場合、弾性力により前記内部空間側へ動く請求項１に記載の電子装置。
【請求項５】
前記弾性部材は、前記フィルタよりも、前記固体からの応力に応じて変形し易い材料を用いて形成されている請求項４に記載の電子装置。
【請求項６】
前記フィルタケースは、前記容量調整部として、前記内部空間を規定する壁面から凹んだ凹部（５６）が形成された基部と、前記凹部を閉塞するとともに前記基部に固定され、複数の網目（６０）が形成された網と、を有し、
前記網は、
前記内部空間に前記液体が入った場合、表面張力により前記液体が前記網目を通って前記凹部及び前記網が囲む空間である調整空間（６２）へ入るのを抑制し、
前記内部空間の前記液体が凝固した場合、前記固体の体積増加に応じて前記固体が前記網目を通って前記調整空間へ入る請求項１に記載の電子装置。
【請求項７】
前記基部は、前記筐体に固定されるとともに前記フィルタが配置された本体部と、前記本体部に固定されるとともに前記フィルタを覆う蓋部と、を有し、
前記蓋部には、前記フィルタとの対向部分に前記凹部が形成されている請求項４〜６のいずれか１項に記載の電子装置。
【請求項８】
前記フィルタケースは、前記フィルタに対して前記内部空間と反対側に配置されるとともに前記フィルタを支持する支持部（４８ｇ）をさらに有し、
前記支持部は、前記収容空間と前記内部空間とが通気するための通気経路を形成している請求項１〜７のいずれか１項に記載の電子装置。
【発明の詳細な説明】
【技術分野】
【０００１】
この明細書における発明は、回路基板と、回路基板を収容するとともに連通孔が形成された筐体と、連通孔を介する通気を可能にする通気部材と、を備える電子装置に関する。
【背景技術】
【０００２】
従来、特許文献１に記載のように、筐体及び通気部材を備える通気構造（電子装置）が知られている。筐体には、通気用の開口部（連通孔）が形成されている。通気部材は、外部空間の液体が開口部を通って筐体の収容空間に入るのを抑制する。また、通気部材は、連通孔を介した外部空間と筐体の収容空間との通気を可能にする。通気部材は、通気膜（フィルタ）と、支持体及びカバー（フィルタケース）と、を有している。支持体は、通気膜を支持しており、筐体に固定されている。カバーは、支持体に固定され、フィルタを覆っている。通気膜とカバーとの間には、通気膜における収容空間と反対側に内部空間が形成されている。
【先行技術文献】
【特許文献】
【０００３】
【特許文献１】特開２０１１−５２７９１号公報
【発明の概要】
【発明が解決しようとする課題】
【０００４】
上記構成において、内部空間に水等の液体が入ることがある。液体が内部空間に配置された状態で通気構造の温度が低下すると、液体が凝固する。水等の液体は、凝固により固体になると、体積が増加する。固体は、体積が増加し、内部空間を規定するフィルタケースの壁面と接触する。固体は、体積がさらに増加すると、フィルタケースに応力を作用させる。これにより、固体には、フィルタケースへ作用させる応力の反作用として、フィルタケースから応力が作用する。この応力によって、固体から通気膜へ大きな応力が作用することがある。これによれば、通気膜が内部空間と反対側に変形し、内部空間に配置された液体が通気膜を通る虞がある。すなわち、筐体の収容空間に液体が入る虞がある。
【０００５】
本発明はこのような課題に鑑みてなされたものであり、内部空間に配置された液体が凝固して固体になった場合であっても、収容空間に液体が入るのを抑制する電子装置を提供することを目的とする。
【課題を解決するための手段】
【０００６】
本発明は、上記目的を達成するために以下の技術的手段を採用する。なお、括弧内の符号は、ひとつの態様として下記の実施形態における具体的手段との対応関係を示すものであって、技術的範囲を限定するものではない。
【０００７】
本発明のひとつは、回路基板（１０）と、
回路基板を収容空間（２２）に収容し、収容空間と外部空間（２００）とを連通する連通孔（３２）が形成された筐体（２０）と、
筐体に配置され、外部空間の液体（２１０）が連通孔を通って収容空間に入るのを抑制するとともに、連通孔を介する収容空間と外部空間との通気を可能にする通気部材（４０）と、
を備え、
通気部材は、
防水性及び通気性を有するフィルタ（４２）と、
筐体に配置され、フィルタが配置されるとともにフィルタを覆うフィルタケース（４４）と、
を有し、
フィルタケースは、フィルタに対して収容空間と反対側に内部空間（５２）を形成し、且つ、外部空間の空気を内部空間へ導入するための隙間（５４）を形成する電子装置であって、
フィルタケースは、内部空間を規定するとともに内部空間の容量を変化させる容量調整部（４８，５０，５８，６４，６６，６８，７２）を有し、
隙間から内部空間に液体が入り、且つ、凝固により液体が固体（２１２）になるとともに体積が増加し、固体の所定方向の幅が、液体が凝固する前の状態における内部空間の所定方向の距離に達して、更に大きくなろうとした場合、容量調整部は、液体が凝固する前よりも内部空間の容量を大きくする。
【０００８】
上記構成では、内部空間に配置された液体が凝固した場合、容量調整部によって、液体が凝固する前よりも内部空間の容量が大きくなる。これによれば、液体が凝固した場合であっても、電子装置では、内部空間の容量に対する固体の体積の割合が大きくなることが抑制される。
【０００９】
そのため、固体からフィルタケースに大きな応力が作用するのを抑制することができる。言い換えると、フィルタケースから固体への反作用による応力が大きくなるのを抑制することができる。したがって、固体からフィルタに大きな応力が作用するのを抑制することができる。
【００１０】
これにより、フィルタが内部空間と反対側に大きく変形するのを抑制することができる。よって、内部空間に配置された液体がフィルタを通るのを抑制することができる。以上によれば、内部空間に配置された液体が凝固して固体になった場合であっても、収容空間に液体が入るのを抑制することができる。
【図面の簡単な説明】
【００１１】
【図１】第１実施形態に係る電子装置の概略構成を示す断面図である。
【図２】筐体及び通気部材の詳細構造を示す斜視図である。
【図３】通気部材の詳細構造を示す側面図である。
【図４】通気部材の詳細構造を示す断面図である。
【図５】通気部材の詳細構造を示す断面図である。
【図６】フィルタの詳細構造を示す平面図である。
【図７】蓋部の詳細構造を示す平面図である。
【図８】第２実施形態に係る電子装置において、通気部材の詳細構造を示す断面図である。
【図９】通気部材の詳細構造を示す断面図である。
【図１０】第３実施形態に係る電子装置において、通気部材の詳細構造を示す断面図である。
【図１１】通気部材の詳細構造を示す断面図である。
【図１２】第１変形例に係る電子装置において、通気部材の詳細構造を示す断面図である。
【図１３】通気部材の詳細構造を示す断面図である。
【図１４】第２変形例に係る電子装置において、通気部材の詳細構造を示す断面図である。
【図１５】通気部材の詳細構造を示す断面図である。
【図１６】第３変形例に係る電子装置において、通気部材の詳細構造を示す断面図である。
【図１７】通気部材の詳細構造を示す断面図である。
【図１８】第４実施形態に係る電子装置において、通気部材の詳細構造を示す断面図である。
【図１９】通気部材の詳細構造を示す断面図である。
【図２０】円筒部及び支持部の詳細構造を示す断面図である。
【発明を実施するための形態】
【００１２】
図面を参照して説明する。なお、複数の実施形態において、共通乃至関連する要素には同一の符号を付与するものとする。また、フィルタの厚さ方向をＺ方向、Ｚ方向に直交する特定の方向をＸ方向、Ｚ方向及びＸ方向に直交する方向をＹ方向と示す。Ｘ方向及びＹ方向により規定される平面をＸＹ平面と示す。ＸＹ平面に沿う形状を平面形状と示す。
【００１３】
（第１実施形態）
先ず、図１〜図７に基づき、電子装置１００の概略構成について説明する。なお、図２では、通気部材４０における各要素の構造を明確にするために、便宜上、各要素をＺ方向に離して示している。また、図３では、筐体２０に配置されていない状態の通気部材４０について示している。
【００１４】
図１に示すように、電子装置１００は、回路基板１０と、筐体２０と、通気部材４０と、を備えている。本実施形態において電子装置１００は、車両に配置されている。すなわち電子装置１００は、車両用のＥＣＵである。電子装置１００は、電子制御装置と称することもできる。
【００１５】
回路基板１０は、基板１２と、基板１２に実装された電子部品１４と、を有している。基板１２は、厚さ方向がＺ方向に沿う略平板形状をなしている。電子部品１４は、基板１２の両面に配置されている。しかしながら、電子部品１４が基板１２の片面にのみ配置された例を採用することもできる。
【００１６】
筐体２０は、収容空間２２に回路基板１０を収容するものである。筐体２０は、例えば、樹脂材料や、金属材料を用いて形成されている。筐体２０は、第１ケース２４と第２ケース２６とを有している。第１ケース２４及び第２ケース２６は、一面が開口する箱状をなしている。第１ケース２４及び第２ケース２６は、互いの開口を閉塞するように、配置されている。第１ケース２４及び第２ケース２６は、ねじ締結等により、互いに固定されている。回路基板１０は、第１ケース２４及び第２ケース２６の少なくとも一方に対し、ねじ締結等により固定されている。なお、筐体２０は、第１ケース２４及び第２ケース２６を有する形状に限定するものではない。筐体２０は、少なくとも、回路基板１０を収容するものであればよい。
【００１７】
第１ケース２４は、底部２８と側壁部３０とを有している。底部２８は、厚さ方向がＺ方向に沿う略平板形状をなしている。底部２８は、収容空間２２を規定する表面２８ａと、表面２８ａと反対側の裏面２８ｂと、を有している。表面２８ａ及び裏面２８ｂは、Ｚ方向と直交する平面である。側壁部３０は、底部２８におけるＸＹ平面の外周部分からＺ方向に延設されている。側壁部３０は、第１ケース２４の開口をなしている。
【００１８】
第１ケース２４には、収容空間２２と外部空間２００とを連通する連通孔３２が形成されている。外部空間２００とは、筐体２０の外側の空間であって、筐体２０周辺の空間である。言い換えると、外部空間２００は、電子装置１００が配置された空間である。裏面２８ｂは、外部空間２００と接触している。連通孔３２は、表面２８ａから裏面２８ｂにわたって底部２８を貫通する貫通孔である。連通孔３２の平面形状は、略真円形状をなしている。なお、連通孔３２の平面形状が、多角形状とされた例を採用することもできる。
【００１９】
回路基板１０が動作していない場合、収容空間２２と外部空間２００との温度は、互いにほぼ等しい。回路基板１０が動作すると、収容空間２２の温度は上昇する。よって、回路基板１０が動作している場合、収容空間２２の温度は、外部空間２００の温度よりも高くなる。これにより、収容空間２２の気圧は外部空間２００の気圧よりも高くなり、収容空間２２から外部空間２００へ空気が出る。
【００２０】
一方、回路基板１０が動作を停止した場合、収容空間２２の温度は低下する。これに伴い、収容空間２２の気圧も減少する。これにより、外部空間２００から収容空間２２へ空気が入る。
【００２１】
連通孔３２は、外部空間２００と収容空間２２との間で空気が流れるのを可能にするために設けられている。言い換えると、連通孔３２は、収容空間２２の気圧を外部空間２００の気圧と均等に保つために設けられている。連通孔３２は、通気孔と称することもできる。筐体２０において連通孔３２が形成された部分には、通気部材４０が配置されている。
【００２２】
通気部材４０は、液体が外部空間２００から連通孔３２を通って収容空間２２に入るのを抑制するものである。この液体としては、雨水、洗車に用いられる水、及び、車両が走行時に巻き上げた水等が想定される。通気部材４０は、収容空間２２に液体が入って、回路基板１０と液体が接触するのを抑制している。よって、通気部材４０は、防水部材と称することもできる。また、通気部材４０は、通気フィルタと称することもできる。水等が外部空間２００から収容空間２２に入ることを、被水する、と言い換えることもできる。
【００２３】
また、通気部材４０は、連通孔３２を介する収容空間２２と外部空間２００との通気を可能にするものである。回路基板１０では、外部空間２００の空気の情報、すなわち大気圧情報を用いて処理を行っている。
【００２４】
図２〜図５に示すように、通気部材４０は、フィルタ４２と、フィルタケース４４と、シールリング４６と、を有している。なお、Ｚ方向の投影視において、連通孔３２、フィルタ４２、フィルタケース４４、及び、シールリング４６の中心は、互いにほぼ一致している。図２では、連通孔３２、フィルタ４２、フィルタケース４４、及び、シールリング４６の中心を通る線を破線で示している。
【００２５】
フィルタ４２は、防水性及び通気性を有し、フィルタケース４４とともに連通孔３２を閉塞するものである。すなわち、フィルタ４２は、気体を通すとともに、液体が通るのを抑制するものである。また、フィルタ４２は、撥水性及び撥油性を有している。すなわち、フィルタ４２には、撥水処理及び撥油処理が施されている。そのため、フィルタ４２を撥水フィルタ又は撥油フィルタと称することもできる。また、フィルタ４２は、通気膜と称することもできる。
【００２６】
図６に示すように、フィルタ４２には、複数の孔が形成されている。フィルタ４２としては、例えば、フッ素樹脂又はポリオレフィンを用いて形成された多孔質膜を採用することができる。フィルタ４２における孔の径ｒは、例えば、０．０１〜１０μｍとされている。気体は、フィルタ４２の孔を通ることができる。一方、液体は、フィルタ４２の孔を通らない。
【００２７】
フィルタケース４４は、フィルタ４２が配置されるものである。フィルタケース４４は、筐体２０に配置されている。フィルタケース４４は、例えば、樹脂材料を用いて形成されている。フィルタケース４４は、本体部４８と蓋部５０とを有している。
【００２８】
本体部４８は、筐体２０に固定されている。詳しく言うと、本体部４８は、底部２８における連通孔３２が形成された部分の付近に固定されている。フィルタ４２は、本体部４８に配置されている。本体部４８は、Ｚ方向における両端が開口する略筒形状をなしている。本体部４８は、円筒部４８ａと、配置部４８ｂと、爪部４８ｃと、を有している。円筒部４８ａ、配置部４８ｂ、及び、爪部４８ｃは、互いに連結されている。
【００２９】
円筒部４８ａは、Ｚ方向に沿って延設された略円筒形状をなしている。円筒部４８ａの内周端及び外周端の平面形状は、略真円形状をなしている。円筒部４８ａの一部は、連通孔３２が囲む空間に配置されている。Ｚ方向において、円筒部４８ａにおける一端は、底部２８に対して収容空間２２側に位置している。一方、Ｚ方向において、円筒部４８ａにおける他端は、底部２８に対して外部空間２００側に配置されている。
【００３０】
円筒部４８ａは、連通孔３２を挿通している。Ｚ方向の投影視において、円筒部４８ａの外周端は、連通孔３２を規定する面とほぼ重なっている。円筒部４８ａの外周面４８ｄは、Ｚ方向において底部２８と同じ高さに位置する部分が、底部２８における連通孔３２を規定する面と接触している。円筒部４８ａにおいて外周面４８ｄと反対側の内周面４８ｅは、外部空間２００と収容空間２２の間の空気のやり取りを可能とするための通気経路を形成している。
【００３１】
配置部４８ｂは、本体部４８においてフィルタ４２が配置される部分である。配置部４８ｂは、円筒部４８ａにおける外部空間２００側の一端から、Ｚ方向と直交する方向であって、円筒部４８ａにおける内周から外周へ向かう方向に延設されている。配置部４８ｂは、厚さ方向がＺ方向に沿う略ディスク形状をなしている。配置部４８ｂの平面形状は、略円環形状をなしている。配置部４８ｂの内周端及び外周端の平面形状は、略真円形状をなしている。配置部４８ｂは、Ｚ方向において、底部２８に対して外部空間２００側に配置されている。配置部４８ｂは、本体部４８における外部空間２００側の開口をなしている。
【００３２】
配置部４８ｂにおける底部２８側の面は、裏面２８ｂとともに、シールリング４６を挟持している。すなわち、配置部４８ｂは、シールリング４６に対して裏面２８ｂと反対側に配置されている。配置部４８ｂにおける底部２８と反対側の面には、図示しない接着材等によりフィルタ４２が固定されている。フィルタ４２は、本体部４８における開口の一方を閉塞している。これにより、フィルタ４２は、本体部４８とともに、連通孔３２を閉塞している。
【００３３】
配置部４８ｂにおいて底部２８と反対側の面は、フィルタ４２が配置された部分と、フィルタ４２が配置されていない部分と、を有している。Ｚ方向の投影視において、配置部４８ｂの外周端は、フィルタ４２を囲っている。
【００３４】
爪部４８ｃは、本体部４８を底部２８に固定するために設けられたものである。爪部４８ｃは、本体部４８における収容空間２２側の開口をなしている。爪部４８ｃは、円筒部４８ａにおける収容空間２２側の一端から、Ｚ方向と直交する方向であって、円筒部４８ａにおける内周から外周へ向かう方向に延設されている。
【００３５】
本体部４８は、４つの爪部４８ｃを有している。Ｚ方向の投影視において、連通孔３２は、４つの爪部４８ｃにより囲まれている。爪部４８ｃにおける底部２８側の面は、表面２８ａと接触している。Ｚ方向において、爪部４８ｃは、配置部４８ｂとともに、底部２８及びシールリング４６を挟持している。なお、本体部４８は、上記した形状に限定されない。本体部４８は、筐体２０における連通孔３２が形成された部分付近に固定されるとともに、フィルタ４２が固定されていればよい。
【００３６】
また、円筒部４８ａには、爪部４８ｃが設けられた箇所と異なる箇所に切り欠き４８ｆが形成されている。本体部４８を筐体２０に配置する際、円筒部４８ａを連通孔３２に挿入する。このとき、切り欠き４８ｆが形成されていることで、円筒部４８ａを小さくすることができる。本体部４８を筐体２０に配置した後、円筒部４８ａは、連通孔３２に挿入される前の大きさに戻る。以上により、本体部４８を筐体２０に配置することができる。
【００３７】
蓋部５０は、フィルタ４２を覆う部分である。蓋部５０は、カバーと称することもできる。蓋部５０は、本体部４８に固定されている。Ｚ方向において、蓋部５０全体は、底部２８に対して外部空間２００側に配置されている。Ｚ方向において、蓋部５０は、本体部４８に対して収容空間２２と反対側に配置されている。言い換えると、Ｚ方向において、蓋部５０は、本体部４８に対して外部空間２００側に配置されている。すなわち、蓋部５０及び本体部４８は、Ｚ方向に並んで配置されている。
【００３８】
また、蓋部５０は、フィルタ４２とともに内部空間５２を形成している。蓋部５０は、天井部５０ａと、壁部５０ｂと、爪部５０ｃと、突出部５０ｄと、を有している。天井部５０ａ、壁部５０ｂ、爪部５０ｃ、及び、突出部５０ｄは、互いに連結されている。
【００３９】
天井部５０ａは、Ｚ方向において、フィルタ４２に対して配置部４８ｂの反対側に配置されている。Ｚ方向において、天井部５０ａは、フィルタ４２及び配置部４８ｂに対して、所定距離を有して対向している。天井部５０ａは、厚さ方向がＺ方向に沿う略平板形状をなしている。天井部５０ａの平面形状は、略真円形状をなしている。Ｚ方向の投影視において、配置部４８ｂの外周端は、天井部５０ａの外周端によって囲まれている。
【００４０】
壁部５０ｂは、ＸＹ平面における天井部５０ａの外周端から、Ｚ方向における底部２８側へ向かって延設されている。図７に示すように、蓋部５０は、４つの壁部５０ｂを有している。そのため、天井部５０ａの外周端では、壁部５０ｂが延設される部分と、壁部５０ｂが延設されない部分と、が形成されている。Ｚ方向の投影視において、配置部４８ｂは、４つの壁部５０ｂにより囲まれている。Ｚ方向において、壁部５０ｂにおける裏面２８ｂ側の一端は、配置部４８ｂよりも裏面２８ｂ側に位置している。
【００４１】
爪部５０ｃは、壁部５０ｂにおける底部２８側の一端から、Ｚ方向と直交する方向であって、連通孔３２へ向かって延設されている。言い換えると、爪部５０ｃは、壁部５０ｂにおける底部２８側の一端から、Ｚ方向と直交する方向であって、シールリング４６へ向かって延設されている。なお、爪部５０ｃは、シールリング４６と接触していない。爪部５０ｃでは、Ｚ方向において底部２８と反対側の面は、Ｚ方向と直交する平面とされている。
【００４２】
突出部５０ｄは、天井部５０ａにおける配置部４８ｂとの対向部分から配置部４８ｂに向かってＺ方向に突出している。蓋部５０は、複数の突出部５０ｄを有している。Ｚ方向の投影視において、フィルタ４２は、複数の突出部５０ｄにより囲まれている。なお、蓋部５０は、上記した形状に限定されない。蓋部５０は、本体部４８に固定され、フィルタ４２を覆う形状であればよい。
【００４３】
内部空間５２は、フィルタ４２、本体部４８、及び、蓋部５０によって囲まれた空間である。詳しく言うと、内部空間５２は、フィルタ４２、配置部４８ｂ、天井部５０ａ、及び、壁部５０ｂによって囲まれた空間である。蓋部５０は、本体部４８との間において、外部空間２００からの気体を内部空間５２へ導入するための隙間５４を形成している。
【００４４】
天井部５０ａの外周端において壁部５０ｂの延設されない部分が設けられることによって、隙間５４が形成されている。隙間５４により、Ｚ方向と直交する方向において外部空間２００側から通気部材４０を見ると、フィルタ４２が露出している。すなわち、内部空間５２は、密閉された空間ではない。内部空間５２には、外部空間２００から隙間５４を介して液体が入る場合がある。以下、内部空間５２に水２１０が入る場合について説明する。
【００４５】
内部空間５２に水２１０が入った状態で、回路基板１０の動作の停止や、外部空間２００の温度低下によって、内部空間５２の水２１０が凍ることがある。すなわち、内部空間５２の水２１０が凝固し、氷２１２になることがある。氷２１２は、特許請求の範囲に記載の固体に相当する。水２１０が凝固することを、氷結する、と言い換えることもできる。水２１０は、凝固により、体積が１０パーセント程度増加する。
【００４６】
内部空間５２の水２１０が凍った状態において、フィルタケース４４は、内部空間５２に水２１０が配置された状態に較べて、内部空間５２の容量を大きくする。すなわち、フィルタケース４４は、内部空間５２の容量を変化させる容量調節機能を有している。言い換えると、フィルタケース４４は、内部空間５２の容量を変化させる容量調節機構を有している。フィルタケース４４における内部空間５２の容量調節機能については、下記で詳細に説明する。
【００４７】
シールリング４６は、フィルタケース４４と底部２８との間を液体が通るのを抑制するものである。すなわち、シールリング４６は、防水のために設けられている。シールリング４６は、ゴム材料を用いて形成されている。シールリング４６は、Ｏリングと称することもできる。
【００４８】
シールリング４６を貫通する貫通孔は、Ｚ方向に延びている。シールリング４６は、裏面２８ｂと接触するように配置されている。Ｚ方向の投影視において、シールリング４６の内周端は、連通孔３２の内周端とほぼ一致している。シールリング４６は、フィルタケース４４と筐体２０との間に配置され、フィルタケース４４及び筐体２０と接触している。詳しく言うと、裏面２８ｂと配置部４８ｂとの間に配置され、裏面２８ｂ及び配置部４８ｂと接触している。
【００４９】
筐体２０に組み付けた後において、シールリング４６は、筐体２０に組み付ける前に較べて変形している。詳しく言うと、筐体２０に組み付けた後においてシールリング４６は、Ｚ方向の幅が小さくなるように変形している。これにより、シールリング４６は、裏面２８ｂとの間、及び、配置部４８ｂとの間に、隙間が形成されるのを抑制している。
【００５０】
次に、図４及び図５に基づき、フィルタケース４４における容量調整機能について説明する。なお、図４は、内部空間５２に水２１０が配置された構成を示している。図５は、内部空間５２の水２１０が凍って氷２１２になった構成を示している。
【００５１】
本実施形態では、Ｚ方向と重力方向とがほぼ一致するように、電子装置１００が配置されている。詳しく言うと、Ｚ方向のうちの蓋部５０から本体部４８へ向かう方向が、Ｚ方向とほぼ一致している。しかしながら、これに限定するものではない。蓋部５０から本体部４８へ向かう方向は、重力方向と異なっていてもよい。
【００５２】
なお、本体部４８は、従来の通気部材の本体部と同じ構造とされている。これに対し、蓋部５０は、フィルタケース４４が容量調整機能を有するための形状をなしている。言い換えると、蓋部５０は、容量調整機能を有する形状とされている。
【００５３】
蓋部５０は、本体部４８に対して動くように固定されている。言い換えると、蓋部５０は、本体部４８に対して変位可能に固定されている。すなわち、蓋部５０は、本体部４８に対してスライド可能に固定されている。蓋部５０は、本体部４８に固定された状態で、Ｚ方向に動くことができる。詳しく言うと、蓋部５０は、本体部４８に固定された状態で、天井部５０ａがフィルタ４２に近づく方向、及び、天井部５０ａがフィルタ４２と離れる方向に動くことができる。
【００５４】
回路基板１０の動作が停止することにより、収容空間２２の温度が低下し、収容空間２２の気圧が低くなる。これにより、フィルタ４２には、Ｚ方向において収容空間２２側へ向かうような力が作用する。この力は、負圧と称することができる。この負圧により、外部空間２００から内部空間５２に水２１０が入ることがある。
【００５５】
また、負圧により、内部空間５２の空気がフィルタ４２の孔を介して収容空間２２に導入される。これにより、回路基板１０の動作が停止した後において、回路基板１０の動作が停止する前に内部空間５２に配置されていた水２１０や、負圧により外部空間２００から内部空間５２に入った水２１０が、フィルタ４２に吸着する。この吸着によって、水２１０は、フィルタ４２に接触し易く、天井部５０ａと接触し難い。そして、回路基板１０の動作が停止した後において時間が経過すると、電子装置１００全体の温度が低下し、内部空間５２の水２１０が凍ることがある。
【００５６】
内部空間５２に氷２１２が配置されていない状態では、負圧や蓋部５０の重みによって、天井部５０ａがフィルタ４２に最も近づいている。言い換えると、内部空間５２に水２１０及び氷２１２が配置されていない状態、及び、図４に示すように内部空間５２に水２１０のみが配置された状態では、天井部５０ａがフィルタ４２に最も近づいている。
【００５７】
この状態では、突出部５０ｄが配置部４８ｂと接触している。詳しく言うと、突出部５０ｄにおける突出先端は、配置部４８ｂにおける底部２８と反対側の面と接触している。これに対し、爪部５０ｃは、配置部４８ｂと接触していない。詳しく言うと、爪部５０ｃにおける底部２８と反対側の面は、配置部４８ｂにおける底部２８側の面と接触していない。内部空間５２に水２１０及び氷２１２が配置されていない状態、及び、内部空間５２に水２１０のみが配置された状態において、フィルタ４２に対する天井部５０ａのＺ方向の距離を距離Ｌと示す。
【００５８】
水２１０が凍って体積が増えると、Ｚ方向における氷２１２の幅が、距離Ｌよりも大きくなることが考えられる。これにより、氷２１２は、天井部５０ａと接触する。氷２１２は、天井部５０ａと接触した後も体積を大きくし、蓋部５０に応力を作用させる。氷２１２は、蓋部５０に対して、Ｚ方向において天井部５０ａがフィルタ４２と離れる方向に応力を作用させる。
【００５９】
蓋部５０は、氷２１２からの応力によりＺ方向に移動する。蓋部５０が移動することによって、距離Ｌが長くなり、内部空間５２の容量が大きくなる。言い換えると、内部空間５２の容積が大きくなる。本実施形態において、本体部４８及び蓋部５０は、特許請求の範囲に記載の容量調整部に相当する。また、本体部４８は、特許請求の範囲に記載の固定部に相当する。蓋部５０は、特許請求の範囲に記載の可動部に相当する。図５では、蓋部５０が移動する方向を白抜き矢印で示している。蓋部５０が移動すると、突出部５０ｄは、配置部４８ｂから離れる。すなわち、蓋部５０が移動すると、突出部５０ｄは、配置部４８ｂと接触しない。
【００６０】
蓋部５０がＺ方向に所定距離移動すると、爪部５０ｃが配置部４８ｂと接触する。詳しく言うと、爪部５０ｃにおける底部２８と反対側の面が、配置部４８ｂにおける底部２８側の面と接触する。これにより、蓋部５０の移動が抑制される。爪部５０ｃが配置部４８ｂと接触する状態において氷２１２の体積が増加した場合であっても、蓋部５０は移動しない。
【００６１】
回路基板１０の動作等により電子装置１００の温度が上昇すると、内部空間５２に配置されていた氷２１２が融解する。氷２１２が融解することを、氷２１２がとける、又は、氷２１２が溶融する、と言い換えることもできる。氷２１２は、水２１０になると、体積が小さくなる。これにより、水２１０におけるＺ方向の幅は小さくなる。よって、氷２１２がとけると、天井部５０ａがフィルタ４２と近づく方向に蓋部５０が移動する。すなわち、氷２１２がとけると、蓋部５０は、水２１０が凍る前の位置に戻る。以上により、内部空間５２の容量は、小さくなり、水２１０が凍る前の容量に戻る。
【００６２】
次に、上記した電子装置１００の効果について説明する。
【００６３】
本実施形態では、内部空間５２の水２１０が凍った場合、フィルタケース４４の容量調整機能によって、水２１０が凍る前よりも内部空間５２の容量が大きくなる。これによれば、水２１０が凝固した場合であっても、電子装置１００では、内部空間５２の容量に対する氷２１２の体積の割合が大きくなることが抑制される。
【００６４】
そのため、氷２１２からフィルタケース４４に大きな応力が作用するのを抑制することができる。言い換えると、フィルタケース４４から氷２１２への反作用による応力が大きくなるのを抑制することができる。したがって、氷２１２からフィルタ４２に大きな応力が作用するのを抑制することができる。
【００６５】
これにより、フィルタ４２が内部空間５２と反対側に大きく変形するのを抑制することができる。すなわち、フィルタ４２における径ｒが大きくなるのを抑制することができる。言い換えると、フィルタ４２における劣化を抑制することができる。よって、内部空間５２に配置された水２１０がフィルタ４２を通るのを抑制することができる。以上によれば、内部空間５２に配置された水２１０が凝固して氷２１２になった場合であっても、収容空間２２に水２１０が入るのを抑制することができる。
【００６６】
ところで、従来構造をなす通気部材を、容量調整機能を有する本実施形態の通気部材４０に取り替える場合がある。本実施形態において、本体部４８は従来構造と同じであって、蓋部５０が容量調整機能を有する形状とされている。そのため、従来構造とされた蓋部を、本実施形態の蓋部５０に取り替えることで、通気部材が容量調整機能を有するものとなる。これによれば、従来の通気部材が筐体に固定されている場合、蓋部５０のみを取り替えればよく、従来構造をなす本体部を筐体から取り外す必要がない。よって、取り替える工程を簡略化することができる。
【００６７】
（第２実施形態）
本実施形態において、第１実施形態に示した電子装置１００と共通する部分についての説明は割愛する。
【００６８】
本実施形態において、蓋部５０は、本体部４８に対して動かないように固定されている。そのため、内部空間５２の水２１０が凍った場合であっても、蓋部５０は、本体部４８に対して動かない。詳しく言うと、図８及び図９に示すように、内部空間５２の水２１０が凍ったか否かにかかわらず、突出部５０ｄは、配置部４８ｂと接触している。また、内部空間５２の水２１０が凍ったか否かにかかわらず、爪部５０ｃは、配置部４８ｂと接触している。
【００６９】
天井部５０ａには、底部２８側の面から凹む凹部５６が形成されている。すなわち、蓋部５０には、フィルタ４２との対向部分に凹部５６が形成されている。蓋部５０は、特許請求の範囲に記載の基部に相当する。天井部５０ａにおける底部２８側の面は、特許請求の範囲に記載の壁面に相当する。凹部５６は、天井部５０ａにおける底部２８側の面から、Ｚ方向に凹んでいる。Ｚ方向の投影視において、凹部５６は、連通孔３２と重なっている。凹部５６は、溝、又は、有底孔と称することもできる。
【００７０】
フィルタケース４４は、凹部５６を閉塞する網５８をさらに有している。網５８は、ネットと称することもできる。網５８は、例えば、樹脂材料を用いて形成されている。網５８には、Ｚ方向に網５８を貫通する複数の網目６０が形成されている。網目６０は、貫通孔と称することもできる。網５８は、接着材等により、天井部５０ａ又は凹部５６の壁面に固定されている。
【００７１】
網５８は、凹部５６とともに、内部空間５２の容量を調整するための調整空間６２を形成している。調整空間６２は、網５８及び凹部５６によって囲まれた空間である。本実施形態において、蓋部５０及び網５８は、特許請求の範囲に記載の容量調節部に相当する。
【００７２】
図８では、内部空間５２の水２１０が網５８と接触する構成を示している。水２１０は、網５８と接触する場合であっても、表面張力が作用することによって網目６０を通り難い。言い換えると、網５８は、水２１０が網目６０を通り難くなるように形成されている。なお、表面張力とは、水２１０における空気との界面に作用する力であって、界面からバルク側へ作用する。バルクとは、水２１０において空気と接触していない部分である。
【００７３】
網目６０が小さいほど、水２１０に作用する表面張力が大きい。そのため、水２１０は、網目６０が小さいほど、網目６０を通り難い。言い換えると、網目６０は、水２１０が通り難い大きさとされている。
【００７４】
これにより、網５８は、内部空間５２に配置された水２１０が調整空間６２に入るのを抑制している。言い換えると、調整空間６２は、網５８によって、水２１０が入り難い空間とされている。すなわち、調整空間６２は、網５８によって内部空間５２と仕切られており、内部空間５２と連通していない。
【００７５】
図９では、内部空間５２に入った水２１０が凍って氷２１２になった構成を示している。氷２１２は、体積が増加する過程で網目６０を通る。すなわち、網目６０は、水２１０を通し難く、氷２１２を通す大きさとされている。これによれば、調整空間６２に氷２１２の一部が配置される。網目６０は、内部空間５２の氷２１２を調整空間６２に通すための経路として機能している。これによれば、調整空間６２は、内部空間５２と連通し、内部空間５２の一部となっている。すなわち、内部空間５２は、調整空間６２を含む空間となっている。したがって、内部空間５２の水２１０が凍った後では、水２１０が凍る前に較べて、内部空間５２の容量が大きくなっている。
【００７６】
本実施形態では、上記実施形態と同等の効果を奏することができる。また、本実施形態では、蓋部５０に凹部５６が形成されるとともに、蓋部５０に網５８が固定されている。これによれば、従来構造をなす通気部材を、容量調整機能を有する本実施形態の通気部材４０に取り替える場合、従来構造をなす蓋部を本実施形態の蓋部５０に取り替えればよい。よって、従来構造をなす本体部を筐体から取り外す必要がなく、取り替える工程を簡略化することができる。
【００７７】
なお、本実施形態において、蓋部５０は、本体部４８に対して動かないように固定された例を示したが、これに限定するものではない。第１実施形態と同様に、蓋部５０が本体部４８に対して動くように固定された例を採用することもできる。
【００７８】
（第３実施形態）
本実施形態において、第２実施形態に示した電子装置１００と共通する部分についての説明は割愛する。
【００７９】
図１０及び図１１に示すように、本実施形態において、フィルタケース４４は、網５８に代えて、弾性部材６４を有している。弾性部材６４は、膜と称することもできる。弾性部材６４は、凹部５６の開口を閉塞している。弾性部材６４及び凹部５６により、調整空間６２が形成されている。
【００８０】
弾性部材６４は、接着材等により、天井部５０ａ又は凹部５６の壁面に固定されている。弾性部材６４の厚さ方向は、Ｚ方向に沿っている。図１０では、内部空間５２に水２１０が入っているが、水２１０は弾性部材６４と接触していない構成を示している。水２１０及び氷２１２と接触していない状態において、弾性部材６４は、全体の厚さ方向がほぼ均一とされている。
【００８１】
図１１では、内部空間５２の水２１０が凍った構成を示している。水２１０が凍って体積が増えると、Ｚ方向における氷２１２の幅が大きくなり、氷２１２は弾性部材６４と接触する。氷２１２は、天井部５０ａと接触した後も体積を大きくし、弾性部材６４に応力を作用させる。氷２１２は、弾性部材６４に対して、Ｚ方向において弾性部材６４が凹部５６の底面へ向かう方向に応力を作用させる。
【００８２】
本実施形態において、弾性部材６４は、フィルタ４２よりも変形し易い材料を用いて形成されている。フィルタ４２よりも変形し易い材料としては、例えば、ゴム材料を採用することができる。これにより、氷２１２からの応力によってフィルタ４２が収容空間２２側へ変形する前に、弾性部材６４が凹部５６の底面側へ変形する。弾性部材６４の変形により、内部空間５２の容量が大きくなり、調整空間６２の容量が小さくなる。
【００８３】
内部空間５２の氷２１２がとけて水２１０になると、弾性部材６４には、弾性力が作用する。この弾性力により、弾性部材６４は、水２１０が氷２１２になる前の形状に戻る。言い換えると、内部空間５２の氷２１２がとけて水２１０になると、弾性部材６４は、全体の厚さ方向がＺ方向に沿うように変形する。これにより、内部空間５２の容量は、弾性部材６４が氷２１２と接触する前の容量に戻る。本実施形態において、蓋部５０及び弾性部材６４は、特許請求の範囲に記載の容量調整部に相当する。
【００８４】
本実施形態では、上記実施形態と同等の効果を奏することができる。また、本実施形態では、弾性部材６４によって調整空間６２に水２１０が入るのを抑制することができる。調整空間６２に水２１０が入らない構成では、内部空間５２の水２１０が凍る前に調整空間６２に水２１０が入っている構成に較べて、フィルタケース４４が内部空間５２の容量を大きくし易い。すなわち、本実施形態において、フィルタケース４４は内部空間５２の容量を大きくし易い。
【００８５】
また、本実施形態において、弾性部材６４は、フィルタ４２よりも変形し易い材料を用いて形成された例を示したが、これに限定するものではない。弾性部材６４が、フィルタ４２と同程度の変形し易さとされた例を作用することもできる。すなわち、弾性部材６４は、フィルタ４２と同じ材料を用いて形成されていてもよい。さらに、弾性部材６４は、フィルタ４２よりも変形し難い材料を用いて形成されていてもよい。
【００８６】
なお、本実施形態では、凹部５６の開口が弾性部材６４によって閉塞される例を示したが、これに限定するものではない。図１２及び図１３の第１変形例に示すように、凹部５６の開口が弾性部材６６と板６８とによって閉塞されていてもよい。第１変形例において、フィルタケース４４は、弾性部材６４に代えて、弾性部材６６と板６８とを有している。
【００８７】
弾性部材６６は、Ｚ方向に貫通する貫通孔が形成された略リング形状をなしている。弾性部材６６は、例えば、ゴム材料を用いて形成されている。弾性部材６６は、凹部５６が囲む空間に配置されている。弾性部材６６におけるＺ方向における底部２８と反対側の面は、接着材等により、凹部５６の底面に固定されている。Ｚ方向の投影視において、弾性部材６６の外周端は、凹部５６の外周端とほぼ一致している。弾性部材６６における凹部５６に固定された面と反対側の面には、板６８が固定されている。
【００８８】
板６８は、厚さ方向がＺ方向に沿う略平板形状をなしている。板６８は、弾性部材６６よりも変形し難い材料を用いて形成されている。板６８は、例えば、樹脂材料を用いて形成されている。板６８は、Ｚ方向における底部２８と反対側の面が、接着材等により、弾性部材６６に固定されている。これにより、弾性部材６６及び板６８は、凹部５６を閉塞し、調整空間６２を形成している。
【００８９】
図１２では、板６８が、水２１０と接触していない構成を示している。これに対し、図１３では、水２１０が凍って、氷２１２が板６８と接触する構成を示している。氷２１２は、板６８及び弾性部材６６に対して凹部５６の底面側に応力を作用させる。弾性部材６６は、この応力により、Ｚ方向の幅を小さくするように縮む。よって、板６８は、Ｚ方向において底部２８から凹部５６の底面へ向かう方向に動く。これにより、内部空間５２の容量が大きくなる。
【００９０】
氷２１２がとけると、弾性部材６６におけるＺ方向の幅は、弾性力により、板６８が氷２１２と接触する前の幅に戻る。これにより、板６８は、氷２１２と接触する前の位置に移動する。よって、内部空間５２の容量は、板６８が氷２１２と接触する前の容量に戻る。第１変形例において、蓋部５０、弾性部材６６、及び、板６８は、特許請求の範囲に記載の容量調整部に相当する。
【００９１】
また、本実施形態では、蓋部５０に凹部５６が形成された例を示したが、これに限定するものではない。図１４及び図１５の第２変形例に示すように、本体部４８に凹部７０が形成された例を採用することもできる。第２変形例において、フィルタケース４４は、弾性部材６４に代えて、弾性部材７２を有している。
【００９２】
凹部７０は、配置部４８ｂの内周端をなす部分からＺ方向において底部２８へ向かう方向へ凹んで形成されている。Ｚ方向の投影視において、凹部７０の外周端は、底部２８において連通孔３２を規定する面に囲まれている。凹部７０の底面は、Ｚ方向において、裏面２８ｂよりも外部空間２００側に形成されている。
【００９３】
弾性部材７２は、Ｚ方向に貫通する貫通孔が形成された略リング形状をなしている。弾性部材７２における底部２８側の面は、接着材等により、凹部７０の底面に固定されている。Ｚ方向の投影視において、弾性部材７２の内周端は、円筒部４８ａの内周面４８ｅとほぼ一致している。Ｚ方向の投影視において、弾性部材７２の外周端は、凹部７０の外周端とほぼ一致している。弾性部材７２においてＺ方向における凹部７０と反対側の面には、接着材等により、フィルタ４２が固定されている。すなわち、フィルタ４２は、弾性部材７２を介して本体部４８に固定されている。弾性部材７２は、フィルタ４２とともに、凹部７０を閉塞している。
【００９４】
図１４では、内部空間５２の水２１０が、フィルタ４２と接触し、天井部５０ａと接触しない構成を示している。図１５では、氷２１２が天井部５０ａに接触する構成について示している。氷２１２は、天井部５０ａに対して、Ｚ方向のうちの底部２８から蓋部５０へ向かう方向の応力を作用させる。しかしながら、蓋部５０は、本体部４８に対して動かないように固定されており、氷２１２から応力が作用しても動かない。
【００９５】
氷２１２には、天井部５０ａへ作用させる応力の反作用として、Ｚ方向のうちの蓋部５０から底部２８へ向かう方向の応力が作用する。これにより、氷２１２からフィルタ４２へ応力が作用する。そして、フィルタ４２から弾性部材７２へ応力が作用する。この応力により、弾性部材７２は、Ｚ方向の幅を小さくするように縮む。よって、フィルタ４２は、Ｚ方向において底部２８に向かう方向へ移動する。フィルタ４２の移動により、内部空間５２の容量が大きくなる。
【００９６】
氷２１２がとけると、弾性部材７２におけるＺ方向の幅は、弾性力により、水２１０が凍る前の幅に戻る。これにより、フィルタ４２は、水２１０が凍る前の位置に移動する。よって、内部空間５２の容量は、水２１０が凍る前の容量に戻る。第２変形例において本体部４８は、基部に相当する。また、本体部４８及び弾性部材７２は、特許請求の範囲に記載の容量調整部に相当する。
【００９７】
また、本実施形態において、蓋部５０は、本体部４８に対して動かないように固定された例を示したが、これに限定するものではない。図１６及び図１７の第３変形例に示すように、蓋部５０が本体部４８に対して動くように固定された例を採用することもできる。
【００９８】
図１６では、内部空間５２の水２１０が弾性部材６４と接触していない構成を示している。図１７では、氷２１２が弾性部材６４と接触する構成を示している。氷２１２は、弾性部材６４に対してＺ方向のうちの底部２８から蓋部５０へ向かう方向に応力を作用させている。これにより、弾性部材６４が凹部５６の底面側へ変形するとともに、蓋部５０が底部２８と離れる方向へ移動する。
【００９９】
（第４実施形態）
本実施形態において、第３実施形態に示した電子装置１００と共通する部分についての説明は割愛する。
【０１００】
本実施形態において、図１８及び図１９に示すように、本体部４８は、フィルタ４２を支持する支持部４８ｇをさらに有している。すなわち、フィルタケース４４は、支持部４８ｇを有している。支持部４８ｇは、土台、又は、上げ底ケージと称することもできる。
【０１０１】
支持部４８ｇは、フィルタ４２に対して内部空間５２と反対側に配置されている。すなわち、支持部４８ｇは、フィルタ４２に対して収容空間２２側に配置されている。支持部４８ｇは、フィルタ４２と接触している。言い換えると、支持部４８ｇにフィルタ４２が配置されている。支持部４８ｇは、円筒部４８ａの内周面４８ｅが囲む空間に配置されるとともに、円筒部４８ａと連結されている。
【０１０２】
支持部４８ｇは、延設方向がＺ方向とされた略円筒形状の部材に、Ｚ方向に貫通する複数の貫通孔７４が形成されてなる。なお、貫通孔７４の数は、１つであってもよい。貫通孔７４は、Ｚ方向のうちのフィルタ４２側の一端がフィルタ４２によって閉塞されている。貫通孔７４は、内部空間５２の空気を収容空間２２へ通すための通気経路を形成している。
【０１０３】
図２０に示すように、複数の貫通孔７４は、Ｘ方向及びＹ方向に並んで形成されている。複数の貫通孔７４におけるＸ方向の間隔は、互いに均一とされている。また、複数の貫通孔７４におけるＹ方向の間隔は、互いに均一とされている。なおＸＹ平面における貫通孔７４が形成される位置は、これに限定するものではない。貫通孔７４は、Ｚ方向の投影視において、フィルタ４２と重なる位置に形成されていればよい。各貫通孔７４の平面形状は、略矩形状とされている。しかしながら、これに限定するものではない。各貫通孔７４の平面形状は、例えば、略真円形状であってもよい。
【０１０４】
図１８では、内部空間５２の水が、フィルタ４２と接触し、弾性部材６４と接触しない構成を示している。図１９では、弾性部材６４が氷２１２によって変形している構成を示している。氷２１２におけるＺ方向の幅が大きくなり、弾性部材６４が氷２１２と接触すると、氷２１２からフィルタ４２へ作用する応力が大きくなる。これにより、フィルタ４２から支持部４８ｇに作用する応力が大きくなる。
【０１０５】
本実施形態では、支持部４８ｇがフィルタ４２を支持しているため、フィルタ４２が内部空間５２と反対側に変形するのを効果的に抑制することができる。そのため、フィルタ４２の孔の径ｒが大きくなるのを効果的に抑制することができる。したがって、内部空間５２の水２１０がフィルタ４２を通るのを効果的に抑制することができる。よって、収容空間２２に水２１０が入るのを効果的に抑制することができる。
【０１０６】
ところで、天井部５０ａに凹部５６が形成されず、フィルタケース４４が弾性部材６４を有さない構成であって、本体部４８が支持部４８ｇを有する構成が考えられる。すなわち、フィルタケース４４が容量調整機能を有さない構成であって、本体部４８が支持部４８ｇを有する構成が考えられる。この構成では、内部空間５２の水２１０が凍った場合であっても、内部空間５２の容量は変化しない。一方、氷２１２からフィルタ４２に大きな応力が作用する場合、支持部４８ｇによってフィルタ４２の変形が抑制される。内部空間５２の容量が変化しない構成では、内部空間５２の容量が大きくなる構成に較べて、氷２１２が蓋部５０に大きな応力を作用させる。よって、氷２１２から蓋部５０に作用する応力によって、蓋部５０に亀裂等が生じる虞がある。
【０１０７】
これに対して、本実施形態では、内部空間５２の水２１０が凍った場合、内部空間５２の容量が大きくなる。詳しく言うと、内部空間５２の水２１０が凍った場合、氷２１２の体積増加により弾性部材６４が変形する。これによれば、氷２１２からフィルタケース４４へ大きな応力が作用するのを抑制することができる。よって、蓋部５０に亀裂等が生じるのを抑制することができる。
【０１０８】
また、本実施形態において、蓋部５０は、本体部４８に対して動かないように固定されている。しかしながら、これに限定するものではない。第１実施形態と同様に、蓋部５０が本体部４８に対して動くように固定された例を採用することもできる。
【０１０９】
以上、本発明の好ましい実施形態について説明したが、本発明は上記実施形態になんら制限されることなく、本発明の主旨を逸脱しない範囲において、種々変形して実施することが可能である。
【０１１０】
上記実施形態において、蓋部５０は、本体部４８と別部材により構成された例を示したが、これに限定するものではない。蓋部５０が本体部４８と同じ部材を用いて構成された例を採用することもできる。
【０１１１】
また、上記実施形態において、外部空間２００から内部空間５２に水２１０が入る例を示したが、これに限定するものではない。外部空間２００から内部空間５２に塩水が入った場合であっても、フィルタケース４４は内部空間５２の容量を調整する。
【符号の説明】
【０１１２】
１０…回路基板、１２…基板、１４…電子部品、２０…筐体、２２…収容空間、２４…第１ケース、２６…第２ケース、２８…底部、２８ａ…表面、２８ｂ…裏面、３０…側壁部、３２…連通孔、４０…通気部材、４２…フィルタ、４４…フィルタケース、４６…シールリング、４８…本体部、４８ａ…円筒部、４８ｂ…配置部、４８ｃ…爪部、４８ｄ…外周面、４８ｅ…内周面、４８ｆ…切り欠き、４８ｇ…支持部、５０…蓋部、５０ａ…天井部、５０ｂ…壁部、５０ｃ…爪部、５０ｄ…突出部、５２…内部空間、５４…隙間、５６…凹部、５８…網、６０…網目、６２…調整空間、６４…弾性部材、６６…弾性部材、６８…板、７０…凹部、７２…弾性部材、７４…貫通孔、１００…電子装置、２００…外部空間、２１０…水、２１２…氷
【図１】
0006555117.tif 000002
【図２】
0006555117.tif 000003
【図３】
0006555117.tif 000004
【図４】
0006555117.tif 000005
【図５】
0006555117.tif 000006
【図６】
0006555117.tif 000007
【図７】
0006555117.tif 000008
【図８】
0006555117.tif 000009
【図９】
0006555117.tif 000010
【図１０】
0006555117.tif 000011
【図１１】
0006555117.tif 000012
【図１２】
0006555117.tif 000013
【図１３】
0006555117.tif 000014
【図１４】
0006555117.tif 000015
【図１５】
0006555117.tif 000016
【図１６】
0006555117.tif 000017
【図１７】
0006555117.tif 000018
【図１８】
0006555117.tif 000019
【図１９】
0006555117.tif 000020
【図２０】
0006555117.tif 000021